(57)【要約】　　　（修正有）【課題】小型コネクタでかつロック機能付きで、高速伝送対応したコネクタを提供し、ロック付きコネクタであっても、隣とのスペースを小さくでき、機器本体の小型化が可能になるロック付コネクタを提供すること。【解決手段】コネクタ１０は、コネクタ本体５と、係合部１１ｅを備えたロック部１１と、シェル１３，１４と、ロック部１１を操作するロック操作部２が設けられたフード１とを備えている。ロック部１１は、係合を解除するためのロック解除動作部１１ｄを有し、シェル１４は、ロック解除動作部と対応する位置に開口部１４ｂを有し、ロック操作部２は、ロック解除動作部１１ｄと当接し、操作するフードロック解除動作部２ａを有し、フード解除動作部２ａがロック解除動作部１１ｄを押圧することにより、係合部１１ｅがコネクタ本体５内側に向かう方向に変位して、相手側コネクタ６０とのロックを解除するように構成されている。【選択図】　　　図８
2004014384.tif 000002
【特許請求の範囲】
【請求項１】
相手側コネクタと嵌合するコネクタのロック構造において、
前記コネクタは、コネクタ本体と、前記相手側コネクタの係合部と係合する係合部を備えたロック部と、前記コネクタ本体と前記ロック部とを覆うシェルと、前記ロック部を操作するロック操作部が設けられた操作部材とを備え、
前記ロック部は、前記相手側コネクタの係合部との係合を解除するためのロック解除動作部を有し、
前記シェルは、前記ロック解除動作部と対応する位置に開口部を有し、
前記ロック操作部は、前記ロック解除動作部と当接し、操作するフードロック解除動作部を有し、
前記開口部に前記ロック解除動作部を臨ませ、前記ロック操作部を操作した際、前記フード解除動作部が前記ロック解除動作部を押圧することにより、前記係合部が前記コネクタ本体内側に向かう方向に変位して、前記相手側コネクタとのロックを解除するように構成されていることを特徴とするコネクタのロック構造。
【請求項２】
請求項１記載のコネクタのロック構造において、前記操作部材は、前記シェルを収容するものであり、前記フード動作部の代わりに、別体のロック補助バネを有することを特徴とするコネクタのロック構造。
【請求項３】
相手側コネクタと嵌合するコネクタのロック構造において、
前記コネクタは、コネクタ本体と、前記相手側コネクタの係合部と係合する係合部を備えたロック部と、前記コネクタ本体と前記ロック部とを覆うシェルと、前記ロック部を操作するためのロック操作部が設けられた操作部材とを備え、
前記ロック部は、ロック解除動作部および前記係合部を回転自在に軸支する軸を有し、
前記ロック操作部は、前記ロック解除動作部と係合し、操作するフード解除動作部を有し、
前記ロック操作部を操作した際、前記フード解除動作部が前記ロック解除動作部を前記軸を中心として回転させることにより、前記係合部が前記コネクタ本体内側に向かう方向に変位して、相手側コネクタとのロックを解除するように構成されていることを特徴とするコネクタのロック構造。
【請求項４】
請求項３記載のコネクタのロック構造において、前記操作部材は、前記シェルを収容するものであり、前記フード解除動作部の代わりに、別体のロック補助バネを有することを特徴とするコネクタのロック構造。
【請求項５】
請求項１乃至４の内のいずれか一つに記載のコネクタのロック構造を備えていることを特徴とするロック付コネクタ。
【発明の詳細な説明】
【０００１】
【発明の属する技術分野】
本発明は、ロック構造を備えたコネクタに関し、詳しくは、ＥＭＩ対策を施されたロック付コネクタに関する。
【０００２】
【従来の技術】
従来のＥＭＩ対策が施され、かつロック付きコネクタの構造は、ロックの引掛かり部がコネクタの外側に変位するものであった（特公平０８−０１７１０２号公報、以下、従来技術１と呼ぶ、参照）。
【０００３】
従来技術１のコネクタは、フードに覆われたコネクタ部とロック部が独立されているため、コネクタ部はシェルを全面に備えていた。
【０００４】
従って、従来技術１の構造であると、コネクタの小型化が難しい。
【０００５】
そのため、コネクタの小型化を実現させるために、ロック解除の際、ロック引っ掛かり部が相手コネクタの外殻シェルの内側に変位（コネクタ部の内側に変位）する構造を有するものが提案されている（特開２０００−２５２０１８公報、以下、従来技術２と呼ぶ、参照）。
【０００６】
【発明が解決しようとする課題】
しかしながら、従来技術２による構造だと、ロックを操作する操作部がコネクタのほぼ中央部に配置される為、コネクタの幅寸法＋フードの厚み＋操作する指のスペースが必要になり、コネクタを操作するのに空けておくスーペースが大きくなってしまう。
【０００７】
また、従来技術２のコネクタでは、シェルをプレスの曲げで構成されているので、全面を封止するには、ほど遠い。したがって、ロック引っ掛かり部がコネクタの内側に変位する構造でかつ、シェル（ロックを含む）で全面を覆う構造でなければならない。
【０００８】
そこで、本発明の技術的課題は、小型コネクタでかつケーブルが煽られた時でも簡単に抜けなないロック機能付きで、高速伝送対応したコネクタを提供することにある。
【０００９】
即ち、全面シェルで覆われているコネクタを提供することにある。
【００１０】
また、本発明の他の技術的課題は、電子機器本体に幾つかのコネクタが残る場合で、ロック付きコネクタであっても、隣とのスペースを小さくできるので、機器本体の小型化が可能になるロック付コネクタを提供することにある。
【００１１】
【課題を解決するための手段】
本発明によれば、相手側コネクタと嵌合するコネクタのロック構造において、前記コネクタは、コネクタ本体と、前記相手側コネクタの係合部と係合する係合部を備えたロック部と、前記コネクタ本体と前記ロック部とを覆うシェルと、前記ロック部を操作するロック操作部が設けられた操作部材とを備え、前記ロック部は、前記相手側コネクタの係合部との係合を解除するためのロック解除動作部を有し、前記シェルは、前記ロック解除動作部と対応する位置に開口部を有し、前記ロック操作部は、前記ロック解除動作部と当接し、操作するフードロック解除動作部を有し、前記開口部に前記ロック解除動作部を臨ませ、前記ロック操作部を操作した際、前記フード解除動作部が前記ロック解除動作部を押圧することにより、前記係合部が前記コネクタ本体内側に向かう方向に変位して、前記相手側コネクタとのロックを解除するように構成されていることを特徴とするコネクタのロック構造が得られる。
【００１２】
また、本発明によれば、前記コネクタのロック構造において、前記操作部材は前記シェルを収容するものであり、前記フード動作部の代わりに、別体のロック補助バネを有することを特徴とするコネクタのロック構造が得られる。
【００１３】
また、本発明によれば、相手側コネクタと嵌合するコネクタのロック構造において、前記コネクタは、コネクタ本体と、前記相手側コネクタの係合部と係合する係合部を備えたロック部と、前記コネクタ本体と前記ロック部とを覆うシェルと、前記ロック部を操作するためのロック操作部が設けられた操作部材とを備え、前記ロック部は、ロック解除動作部および前記係合部を回転自在に軸支する軸を有し、前記ロック操作部は、前記ロック解除動作部と係合し、操作するフード解除動作部を有し、前記ロック操作部を操作した際、前記フード解除動作部が前記ロック解除動作部を前記軸を中心として回転させることにより、前記係合部が前記コネクタ本体内側に向かう方向に変位して、相手側コネクタとのロックを解除するように構成されていることを特徴とするコネクタのロック構造が得られる。
【００１４】
また、本発明によれば、前記コネクタのロック構造において、前記操作部材は前記シェルを収容するものであり、前記フード解除動作部の代わりに、別体のロック補助バネを有することを特徴とするコネクタのロック構造が得られる。
【００１５】
さらに、本発明によれば、前記いずれか一つに記載のコネクタのロック構造を備えていることを特徴とするロック付コネクタが得られる。
【００１６】
【発明の実施の形態】
以下、本発明の実施の形態について図面を参照しながら説明する。
【００１７】
図１は本発明の実施の形態によるロック付コネクタを示す斜視図である。図２は、図１のコネタタ本体のみの斜視図、図３は図２のコネクタ本体とロック部材とを示す斜視図、図４はロック部材をコネクタ本体に取り付けた斜視図、図５は第１のシェル部と第２のシェル部のコネクタ部への取り付けの説明に供せられる斜視図、図６は第１のシェル部と第２のシェル部を取り付けて全周を封止した斜視図である。図７は図６の断面図であり、図８は、図１の断面図及び相手コネクタの断面図である。但し、図８において、ブーツは省略されている。
【００１８】
図１及び図８を参照すると、ロック付きコネクタ１０は、外部を覆う絶縁材料からなり、互いに合わされる第１のフード部１ａ及び第２のフード部１ｂを備えたフード１と、コネクタ１０の一端側に突出した第１のシェル部１３と、他端側に設けられた複数本のケーブル１００と、ケーブルを抑えるためのブーツ３とを備えている。また、フード１の両側には、ロック部としてのロック片１１のロック解除動作部である突起部１１ｄを押圧するためのフード解除動作部２ａを先端に備え、このフード解除動作部２ａを内側に向かって移動可能となるように設けられた基部を中心に撓むことができるように設けられたロック操作部２が設けられている。
【００１９】
図１に示すロック付きコネクタ１０を組み立てるには、図２に示すように、複数本の束ねられたケーブル１００が設けられたコネクタ本体５を用意する。ここで、コネクタ本体５は、コンタクト１２（図７，図８）が収容され、先端がやや幅が広く形成された矩形のコンタクト収容部６と、ケーブル１００の先端と、コンタクト１２との接続部を収容するケーブル収容部７とを備えている。ケーブル収容部７の両側には、Ｌ字形状に突出した金具が設けられ、ロック片１１を装着するためのロック片装着部８が設けられている。
【００２０】
図７に最も良く示されるように、コンタクト収容部６は一端に開口部６ａを備えるとともに、内部に複数の細長い金属からなるコンタクト１２を収容している。
【００２１】
図３に示すように、ロック片１１がロック片装着部８に装着される。ロック片１１は、先端部１１ａとＵ字形状のばね部１１ｂとを備え、先端部１１ａの先端は鉤錠の係合部であるロック爪１１ｅが設けられている。また、バネ部１１ｂの内側には、ロック片装着部８の溝７ａ，７ｂ内に装着することで、ロック片１１を装着するために、夫々の内側上下から内側に突出した板片からなる溝装着部１１ｃ及び１１ｆが設けられている。
【００２２】
溝装着部１１ｃ，１１ｆには夫々プレス等によって形成された突起部を備え、この突起部は、係合の際に、装着部８に形成された溝７ａ，７ｂに形成された窪みと係合する。
【００２３】
また、バネ部１１ｂの外側には、ロック解除動作部となる突起部１１ｄが形成されている。
【００２４】
図４に示すように、コネクタ本体の両側にロック片１１が装着された後，コネクタ本体５の一端側から、一端側の厚みが大きく、他端側の厚みが小さくなるＴ字形状で且つ円筒状の金属からなる第１のシェル部１３が挿通される。
【００２５】
図５に示すように、第１のシェル部１３が装着された際に、シェル部１３の両側面に設けられた窓部１３ａから、ロック爪１１ｅが覗く構成である。また、コネクタ本体５のケーブル１００が設けられた他端側からケーブル１００を孔部１４ａを通して金属製の箱体からなる第２のシェル部１４が挿通される。
【００２６】
図６に示すように、第２のシェル部１４の両側には、窓部１４ｂが設けられ、この窓部１４ｂから突起部１１ｄが覗く構成である。窓１４ｂよりも、ロック片１１の突起部１１ｄが設けられた平面が大きいために、後述するコネクタのロック状態においても、隙間のない状態となる。
【００２７】
図７に示すように、第１のシェル部１３と第２のシェル部１４との境界部分は半田付け１５によって、接合されており、シェル構造体１６を形成している。
【００２８】
さらに、図６に示すように、このシェル構造体１６の周囲にブーツ３及びロック操作部２を備えたフード１０が設けられ、図１及び図８に示すコネクタ１０の完成となる。
【００２９】
図８を参照して、相手側コネクタとの嵌合及びロック及びロック解除動作について説明する。
【００３０】
図８に示すように、相手側コネクタ６０はコンタクト６２を保持するインシュレータ６１と、その周囲を覆う外殻シェル６４とを備えている。この外側シェルの両側には、コネクタ１０のロック爪１１ｅと係合する係合部であるロック孔６４ａ，６４ａが設けられている。
【００３１】
相手側コネクタ６０の開口６３内にコネクタ１０を嵌合すると、コネクタ１０のコンタクト１２と、相手側コネクタ６０のコンタクト６２が接触するとともに、コネクタの進行に伴って、ロック爪１１ｅは、外殻シェル６４の内壁に押されて、内側に引っ込む。さらに進行して、ロック爪１１ｅがロック孔６４ａ，６４ａの位置に至ったときに、ロック片１１の先端部１１ａのばね力によって、ロック爪１１ｅがロック孔６４ａ，６４ａに入り込み、ロック状態となる。このロック状態においては、コネクタ１０を引き抜くように力を加えても、ロック爪１１ｅが係合して、その離脱を阻止する。
【００３２】
一方、ロックを解除するには、ロック操作部２をつまんで内側に押し込むと、そのフード解除動作部２ａが、ロック解除動作部である突起部１１ｄの内側方向に押し込む。
【００３３】
突起部１１ｄが内側方向に押し込まれるときに、ロック片１１のＵ字部分を中心にして外側のバネ部１１ｂ及び先端部１１ａも内側に撓むように押し込まれるので、ロック爪１１ｅも窓部１３ａよりも内側に引っ込み、係合が解除され、コネクタ１０を相手側コネクタ６０から引き抜くことができる。
【００３４】
図９は本発明の第２の実施の形態によるロック付きコネクタを示す斜視図である。図１０は図９のロック付きコネクタのコネクタ本体を主に示す分解組立斜視図である。図１１はシェルにより全周を封止したコネクタ本体とフードを主に示した分解組立斜視図である。図１２（ａ）は図９のコネクタのロック状態での上下方向の断面図、図１２（ｂ）は相手側コネクタの横方向の断面図、図１２（ｃ）は図９のコネクタのロック状態での横方向の断面図である。図１３（ａ）は図９のコネクタのロック解除状態での上下方向の断面図、図１３（ｂ）は図９のコネクタのロック解除状態での横方向の断面図である。
【００３５】
図９、図１２、及び図１３を参照すると、ロック付きコネクタ２０は、外部を覆う絶縁材料からなるフード２２と、コネクタ２０の一端側に突出した第１のシェル部２１と、他端側に設けられた複数本のケーブル１００と、ケーブルを抑えるためのブーツ２４とを備えている。
【００３６】
また、フード１の両側の後端の角部付近には、ロック部としてのロック片３１のロック解除動作部である突起部３１ｇを上方に押すことで、係合部であるロック爪３１ｅを下方のシェル内に移動させるためのロック補助バネ３３を備え、このロック補助バネ３３を内側に向かって移動可能となるように設けられたロック操作部２３が夫々設けられている。
【００３７】
図９に示すロック付きコネクタ２０を組み立てるには、図１０に示すように、複数本の束ねられたケーブル１００が設けられたコネクタ本体２５を用意する。ここで、コネクタ本体２５は、コンタクト１２が収容され、先端がやや幅が広く形成された矩形のコンタクト収容部２６と、ケーブル１００の先端と、コンタクト１２との接続部を収容するケーブル収容部２７とを備えている。ケーブル収容部２７の両側には、ロック片３１が設けられている。
【００３８】
図１２（ａ）及び図１３（ａ）に良く示されるように、コンタクト収容部２６は一端に開口部２６ａを備えるとともに、内部に複数の細長い金属からなるコンタクト１２が保持されている。
【００３９】
図１０に戻って、ロック片３１がコネクタ本体２７の両側に装着される。ロック片３１は、コンタクト収容部２６の上面の両側付近に長さ方向に設けられた溝２６ｃに収容される先端部３１ａとばね部３１ｃとロック片３１を固定された際に下方に付勢する付勢突起３１ｂと、バネ部３１ｃの後端下方から内側に折り曲げによって形成されたロック動作片３１ｆとを備えている。先端部３１ａの先端は上方に突出した鉤錠のロック爪３１ｅが設けられている。また、ロック動作片３１ｆには、下方に突出したロック解除動作部をなす突起部３１ｇが夫々設けられている。
【００４０】
コネクタ本体２５の両側にロック片３１が装着された後，コネクタ本体２５の一端側から、一端側の厚みが大きく、他端側の厚みが小さくなるＴ字形状で且つ円筒状の金属からなる第１のシェル部２１が挿通される。
【００４１】
更に，上下方向から一対のシェル片２８ａ，２８ｂからなる第２のシェル部２８が設けられる。一対のシェル部の後端には、半円筒の突出部２８ｄが夫々設けられ、重ね合わされたときに、中のケーブル１００を支持する構成となっている。
【００４２】
図１１に示すように、第１のシェル部２１が装着された際に、シェル部２１の両側面付近の上面に設けられた窓部２１ａから、係合部であるロック爪３１ｅが覗く構成である。また、コネクタ本体５のケーブル１００が設けられた他端側からケーブル１００を突出部２８ｄを通して金属製の箱体からなる第２のシェル部２８が挿通される。
【００４３】
図１０に示すように、第２のシェル部２８の下面の両側には、窓部２８ｃ，２８ｃが設けられ、この窓部２８ｃからロック解除動作部である突起部３１ｇが覗く構成である。窓部２８ｃよりも、ロック片３１の突起部３１ｇが設けられた平面３１ｆが大きいために、後述するコネクタ２０のロック状態においても、隙間のない状態となる。
【００４４】
図１２，１３に示すように、第１のシェル２１と第２のシェル２８とは機械的に嵌め合わされた構成であるが、の境界部分に半田付けを施しても良いことは、もちろんである。
【００４５】
さらに、図１１に示すように、この周囲にブーツ２４及びフード３２が設けられる。そしてフードの両側に、ロック補助バネ３３と、その一端に設けられたロック操作部２３が挿入されて図９、図１２，及び図１３に示すコネクタ２０の完成となる。ここで、ロック補助バネ３３はフード３２の内側に固定される支持片３３ａと、段をなして箱型に形成された動作片３３ｂ，３３ｅと、動作片に接続され、ロック操作部２３に装着するための接続片３３ｃと、Ｕ字形状の切り込みによって形成された支持バネ３３ｄとを備えている。
【００４６】
図１２及び図１３を参照して、相手側コネクタとの嵌合及びロック及びロック解除動作について説明する。
【００４７】
図１２に示すように、相手側コネクタ６０はコンタクト６２を保持するインシュレータ６１と、その周囲を覆う外殻シェル６４とを備えている。この外側シェルの上面の両側には、コネクタ２０の係合部であるロック爪１１と係合する係合部であるロック孔６４ｂ，６４ｂが設けられている。尚、符号６５はこの相手側コネクタが装着されるための基板の位置決め孔に装着される位置決め用突起及び符号６６は基板に装着される端子部である。
【００４８】
相手側コネクタ６０の開口６３内にコネクタ２０を嵌合すると、コネクタ２０のコンタクト１２と、相手側コネクタ６０の図示しないコンタクトが接触するとともに、コネクタの進行に伴って、ロック爪３１ｅは、外殻シェル６４の上壁内面に押されて、下側に引っ込む。さらに進行して、ロック爪３１ｅがロック孔６４ｂ，６４ｂの位置に至ったときに、ロック片３１の先端部３１ａのばね力によって、ロック爪３１ｅがロック孔６４ｂ，６４ｂに入り込み、ロック状態となる。このロック状態においては、コネクタ２０を引き抜くように力を加えても、ロック爪３１ｅが係合して、その離脱を阻止する。
【００４９】
一方、ロックを解除するには、図１３に示すように、ロック操作部２３をつまんで内側に押し込むと、そのフード解除動作部３３ｂ，３３ｅが、ロック解除動作部である突起部３１ｇを上側方向に押し込む。
【００５０】
突起部３１ｇが上側方向に押し込まれるときに、ロック片３１の回転軸３１ｄを中心にして回転して外側のバネ部３１ｃ及び先端部が下側に移動するので、ロック爪３１ｅも窓部２１ａよりも内側に引っ込み、係合が解除され、コネクタを相手側コネクタから引き抜くことができる。
【００５１】
本発明の実施の形態では、シェルを収容する操作部材（フード）により、ロック解除動作部である突起部を押圧したが、これに限らず、別体の操作部材を用いて押圧して、ロックの解除をするようにしても良い。
【００５２】
このように、本発明の第１及び第２の実施の形態によるロック付きコネクタによれば、小型コネクタでかつケーブルが煽られた時でも簡単に抜けなないロック機能付きであり、更に，全面金属製のシェルで覆われているので、高速伝送対応したロック付きコネクタを提供することができる。
【００５３】
突起部をシェル内に収容する構成なので、ロック解除動作部を不用意な外力から守ることができる。
【００５４】
図１４は本発明の第３の実施の形態によるロック付きコネクタを示す斜視図である。図１５は図１４のロック付きコネクタの分解組立斜視図である。図１６は図１４のコネクタのロック状態での上下方向の断面図である。図１７は図１４のコネクタのロック解除状態での上下方向の断面図である。
【００５５】
図１４、図１６及び図１７を参照すると、ロック付きコネクタ３０は、外部を覆う絶縁材料からなるフード３２と、コネクタ１０の一端側に突出した第１のシェル部２１と、他端側に設けられた複数本のケーブル１００と、ケーブルを抑えるためのブーツ２４とを備えている。
【００５６】
また、コネクタ３０のフード３２の両側の後端の角部付近には、ロック片３１のロック解除動作部である突起部３１ｇを上方に押すことで、係合部であるロック爪３１ｅを下方のシェル内に移動させるためのロック補助バネ３７を備え、このロック補助バネ３７を内側に向かって移動可能となるように設けられたロック操作部３５が設けられている。
【００５７】
また、後述するように、ロック片３１を回転させるための回転軸としてのピン３６を挿入するための挿入孔３２ｂ，３２ｂが一端の両側に夫々設けられている。
【００５８】
図１４に示すロック付きコネクタ３０を組み立てるには、図１５に示すように複数本の束ねられたケーブル１００が設けられたコネクタ本体及びシェル構造体１６を用意する。このコネクタ本体及びシェル構造体１６は、図２乃至図６に示されたものと同様な構造を備えている。
【００５９】
図１４に示すように、シェル構造体１６の第１のシェル部１３の両側面に設けられた窓部１３ａから、係合部であるロック爪１１ｅが覗く構成である。また、第２のシェル部１４の両側には、窓部１４ｂ，１４ｂが設けられ、この窓部１４ｂからロック解除動作部である突起部１１ｄが覗く構成である。
【００６０】
このシェル構造体１６の周囲にブーツ２４及びフード３２が設けられる。ここで、本発明の第３の実施の形態においては、フード３２の両側に、ロック補助バネ３７と、その一端に設けられたロック操作部３５が挿入されてコネクタ３０の完成となるわけであるが、このロック補助バネ３７、及びフード３２の構造が、図１に示したコネクタとは異なっている。
【００６１】
即ち、フード３２の一端両側には、厚み方向に貫通した貫通孔３２ｂが設けられており，一方、補助バネ３７には、ピン３６が貫通されるピン収容部３７ａが設けられている。
【００６２】
ロック補助バネ３７は、フードの内側で回転可能となるようにピン３６が貫通した状態で収容するための丸く折り曲げられて円筒状に形成された先端部であるピン収容部３７ａと、ピン収容部３７ａから延びた板状のバネ部３７ｂと、同様にピン収容部３７ａから延びた細長いロック支持バネ３７ｄと、バネ部３７ｂの一端から段をなして折れ曲がり、延在してロック操作部３５に挟み込まれて接続される接続片３７ｃとを備えている。
【００６３】
図１６及び図１７を参照して、相手側コネクタとの嵌合及びロック及びロック解除動作について説明する。
【００６４】
相手側コネクタは、図８に示すものと同様な構造を有している。即ち、この相手側コネクタの外側シェルの両側には、コネクタ３０のロック爪１１ｅと係合するロック孔６４ａ，６４ａが設けられている。
【００６５】
相手側コネクタの開口内にコネクタ３０を嵌合すると、コネクタ３０コンタクト１２と、相手側コネクタの図示しないコンタクトが接触するとともに、コネクタの進行に伴って、ロック爪１１ｅは、外殻シェルの両側の内壁面に押されて、内側に引っ込む。さらに進行して、ロック爪１１ｅがロック孔６４ａ，６４ａの位置に至ったときに、ロック片１１の先端部１１ａのばね力によって、ロック爪１１ｅがロック孔６４ａ，６４ａに入り込み、ロック状態となる。このロック状態においては、コネクタ３０を引き抜くように力を加えても、ロック爪１１ｅが係合して、その離脱を阻止する。
【００６６】
一方、ロックを解除するには、図１７に示すように、ロック操作部３５をつまんで内側に押し込むと、ピン３６を中心にしてバネ部が回転しながら撓む。同時にフード解除動作部３７ｅも回転して、ロック解除動作部である突起部１１ｄを内側方向に押し込む。
【００６７】
突起部１１ｄが内側方向に押し込まれるときに、ロック片１１のＵ字形状部分を回転軸にして外側部分が回転して外側のバネ部及び先端部が内側に引っ込むので、ロック爪１１ｅも窓部１３ａよりも内側に引っ込み、係合が解除され、コネクタ３０を相手側コネクタから引き抜くことができる。
【００６８】
図１８は本発明の第３の実施の形態によるロック付きコネクタを２個並べた状態を示す断面図である。
【００６９】
図１８に示すように、図示しない電子機器本体に幾つかのコネクタ３０が残る場合で、ロック付きコネクタ３０であっても、隣とのスペースＡを小さくできるので、機器本体を小型化することができる。
【００７０】
図１９は本発明の第４の実施の形態によるロック付きコネクタを示す断面図であり、ロック状態を示している。図２０は図１９のロック付きコネクタのロック解除状態を示す断面図である。
【００７１】
図２１は図１９のロック付きコネクタのロック補助バネと、ロック操作部とを示す分解組立斜視図である。図２２は図２１のロック補助バネと、ロック操作部との組み立て状態を示す斜視図である。
【００７２】
本発明の第４の実施の形態によるコネクタは第３の実施の形態によるものとは、ロック片、補助バネ及びロック操作部が異なる他は同様の構成を有している。
【００７３】
図２１及び図２２に示すように、ロック部をなすロック片４１は、先端部４１ａと、矩形のバネ部４１ｃとを備えている。先端部４１ａには、係合部である鉤状のロック爪４１ｅが設けられている。また、バネ部４１ｃの先端部側の内側には、回転軸３６ａを挿入するための軸受け穴４１ｇが設けられており，一方、反対側には、上下から夫々内側に延びるように、動作片４１ｂが形成され、この動作片４１ｂには、夫々上下方向に突出したロック解除動作部である突出部４１ｄを夫々備えている。
【００７４】
また、ロック操作部３８には、上下に長さ方向に延びるロック補助バネ片４２ａを備えたロック補助バネ４２が設けられ、ピン３６ｂによって夫々ロック操作部３８に固定されている。
【００７５】
図１９及び図２０を参照すると、ロック付きコネクタ４０は、外部を覆う絶縁材料からなるフード３２と、コネクタ４０の一端側に突出した第１のシェル部１３と、他端側に設けられた複数本のケーブル１００と、ケーブルを抑えるためのブーツ２４とを備えている。
【００７６】
また、コネクタ４０のフード３２の両側の後端の角部付近には、ロック片４１の突起部４１ｄを上方に押すことで、ロック爪４１ｅを内側のシェル内に移動させるためのロック補助バネ４２を備え、このロック補助バネ４２を内側に向かって移動可能となるように設けられたロック操作部３８が夫々設けられている。
【００７７】
図１９及び図２０に示すロック付きコネクタ４０を組み立てるには、図１５に示すように複数本の束ねられたケーブル１００が設けられたコネクタ本体１６を用意する。ここで、コネクタ本体２５及びシェル構造体１６は、図２乃至図６に示されたものと同様な構造を備えている。
【００７８】
シェル構造体１６の第１のシェル１３の両側面に設けられた窓部１３ａから、ロック爪１１ｅが覗く構成である。また、第２のシェル１４の両側には、窓部１４ｂ，１４ｂが設けられ、この窓部１４ｂから突起部１１ｄが覗く構成である。
【００７９】
このシェル構造体１６の周囲にブーツ２４及びフード３２が設けられる。
【００８０】
ここで、本発明の第４の実施の形態においては、フード３２の両側に、図２１及び図２２に示したロック補助バネ４２が設けられたロック操作部３８が挿入されてコネクタ４０の完成となる。
【００８１】
図１９及び図２０を参照して、相手側コネクタとの嵌合及びロック及びロック解除動作について説明する。
【００８２】
相手側コネクタは、図８に示すものと同様な構造を有している。即ち、図１９に示すように、この相手側コネクタの外側シェルの両側には、コネクタ３０のロック爪１１ｅと係合するロック孔６４ａ，６４ａが設けられている。相手側コネクタの開口内にコネクタ３０を嵌合すると、コネクタ３０コンタクト１２と、相手側コネクタの図示しないコンタクトが接触するとともに、コネクタの進行に伴って、ロック爪４１ｅは、外殻シェルの両側の内壁面に押されて、内側に引っ込む。さらに進行して、ロック爪４１ｅがロック孔６４ａ，６４ａの位置に至ったときに、ロック片４１１の先端部４１ａのばね力によって、係合部であるロック爪４１ｅがロック孔６４ａ，６４ａに入り込み、ロック状態となる。このロック状態においては、コネクタ３０を引き抜くように力を加えても、ロック爪４１ｅが係合して、その離脱を阻止する。
【００８３】
一方、ロックを解除するには、図２０に示すように、ロック操作部３８をつまんで内側に押し込むと、ロック補助バネ４２のバネ片４２ａがロック片４１のロック解除動作部である突出部４１ｂを外側に押し込み、ピン３６ａを中心にしてバネ部が回転しながら撓む。バネ部の先端に設けられたロック爪４１ｅも窓部１３ａよりも内側に引っ込み、係合が解除され、コネクタ４０を相手側コネクタ４０から引き抜くことができる。
【００８４】
図２３は本発明の第５の実施の形態によるロック付きコネクタを示す断面図であり、ロック状態を示している。図２４は図２３のロック付きコネクタのロック解除状態を示す断面図である。
【００８５】
図２３に示すロック付きコネクタ５０は、複数本の束ねられたケーブル１００が設けられたコネクタ本体５を備えている。コネクタ本体５は、図２に示されるものと同様に、コンタクト１２が収容され、先端がやや幅が広く形成された矩形のコンタクト収容部６と、ケーブル１００の先端と、コンタクトとの接続部を収容するケーブル収容部７とを一体に備えている。ケーブル収容部７の両側には、ロック片５１が装着される。
【００８６】
ロック片５１は、先端部５１ａと先端部から段をなして延びるとともにＵ字形状のばね部５１ｂとを備えている。先端部５１ａの先端は鉤錠のロック爪５１ｅが設けられている。また、バネ部５１ｂの外側には突起部５１ｄが形成されている。
【００８７】
コネクタ本体５の両側にロック片５１が装着された後，図４に示すものと同様に、コネクタ本体５の一端側から、一端側の厚みが大きく、他端側の厚みが小さくなるＴ字形状で且つ円筒状の金属からなる第１のシェル部１３が挿通される。
【００８８】
第１のシェル部１３が装着された際に、シェル部１３の両側面に設けられた窓部１３ａから、係合部であるロック爪５１ｅが覗く構成である。また、コネクタ本体５のケーブル１００が設けられた他端側からケーブル１００を孔部１４ｂを通して金属製の箱体からなる第２のシェル部１４が挿通される。
【００８９】
第２のシェル部１４の両側には、窓１４ｂが設けられ、この窓部１４ｂからロック解除動作部である突起部５１ｄが覗く構成である。窓１４ｂよりも、ロック片の突起部５１ｄが設けられた平面が大きいために、後述するコネクタのロック状態においても、隙間のない状態となる。
【００９０】
第１のシェル１３と第２のシェル１４との境界部分は半田付け１５によって、接合されても良く、シェル構造体１６を形成している。
【００９１】
このシェル構造体１６の周囲にブーツ２４及びロック操作部３９備えたフードが設けられる。
【００９２】
フードは、フード本体５２と取っ手部５３とを備え、取っ手部５３は、ケーブル１００の周囲に設けられるケーブル案内部５３ａと、開口を残してその周囲を覆う外周部５３ｂと、ケーブル案内部５３ａと外周部５３ｂとを一端側に連絡する底部５３ｄとを備えている。フードの開口部には、ロック操作部３９が挿入される。フードの内側と、シェル構造体との間と、ロック操作部３９の内側に渡り底部に至るまで、長い板状ロック補助バネ５５が設けられている。
【００９３】
ロック補助バネ５５は，孔５５ｅが設けられ、フード本体５２の内壁に沿って延在するロック動作部５５ａと、ロック動作部５５ａから段を為して内側に折れ曲がりロック操作部３９の内側に沿って延びる支持部５５ｂと、支持部５５ｂからＷ字形状に折れ曲がった弾性部５５ｃとを備えている。
【００９４】
図２３及び２４を参照して、相手側コネクタとの嵌合及びロック及びロック解除動作について説明する。
【００９５】
図２３に示すように、相手側コネクタは図８に示されるものと同様の形状を有している。相手側コネクタの開口内にコネクタ５０を嵌合すると、コネクタ５０のコンタクト１２と、相手側コネクタのコンタクト６が接触するとともに、コネクタ５０の進行に伴って、係合部であるロック爪５１ｅは、相手側コネクタの外殻シェル６４の内壁に押されて、内側に引っ込む。さらに進行して、ロック爪５１ｅがロック孔６４ａ，６４ａの位置に至ったときに、ロック片の先端部のばね力によって、ロック爪がロック孔１５ｅに入り込み、ロック状態となる。このロック状態においては、コネクタ１０を引き抜くように力を加えても、ロック爪５１ｅが係合して、その離脱を阻止する。また、ロック補助バネ５５ａの孔部にロック動作解除部である突起部５１ｄが挿入された状態にある。
【００９６】
一方、図２４に示すように、ロックを解除するには、ロック操作部３９をフード本体５２から離れる方向に嵌合方向に沿って引き下げると、そのロック動作部５５ａが同様に引き下げられ、突起部５１ｄと孔５５ｄとの係合がはずれ、突起部５１ｄは補助バネ５５のロック動作部５５ａの内壁によって、内側に押されて、これによって、ロック片５１のバネ部５１及び先端部５１ａがＵ字部分を中心にして内側に撓むように押し込まれるので、ロック爪５１ｅも窓部よりも内側に引っ込み、係合が解除され、コネクタ５０を相手側コネクタから引き抜くことができる。
【００９７】
以上説明したように、本発明の第３乃至第５の実施の形態によるコネクタのロック構造だと、ロックの引っ掛かり部がコネクタの内側に変位する構造でありながら、ロックを操作するロック操作部をコネクタ部の後ろ側に構成している為、コネクタ部の幅寸法を含まないで構成できるので、コネクタを操作するのに空けておくスペースを最小限にできる。
【００９８】
以上の実施の形態では、ピンにより回転自在としてが、これに限らずピン収容部をフードに圧入する構成にして、この部分を軸として回転自在に構成しても良いことは言うまでもない。
【００９９】
【発明の効果】
以上説明したように、本発明によれば、小型コネクタでかつケーブルが煽られた時でも簡単に抜けなないロック機能付きで、全面シェルで覆われているので、高速伝送対応したコネクタを提供することができる。
【０１００】
また、本発明によれば、電子機器本体に幾つかのコネクタが残る場合で、ロック付きコネクタであっても、隣とのスペースを小さくできるので、機器本体の小型化が可能になるロック付コネクタを提供することができる。
【図面の簡単な説明】
【図１】本発明の実施の形態によるロック付コネクタを示す斜視図である。
【図２】図１のコネタタ本体のみの斜視図である。
【図３】図２のコネクタ本体とロック部材とを示す斜視図である。
【図４】ロック部材をコネクタ本体に取り付けた斜視図である。
【図５】第１のシェル部と第２のシェル部のコネクタ本体への取付けの説明に供せられる斜視図である。
【図６】第１のシェル部と第２のシェル部を取り付けて全周を封止した斜視図である。
【図７】図６の断面図である。
【図８】図１の断面図及び相手コネクタの断面図である。
【図９】本発明の第２の実施の形態によるロック付きコネクタを示す斜視図である。
【図１０】図９のロック付きコネクタのコネクタ本体を主に示す分解組立斜視図である。
【図１１】シェルにより全周を封止したコネクタ本体とフードを主に示した分解組立斜視図である。
【図１２】（ａ）は図９のコネクタのロック状態での上下方向の断面図である。
（ｂ）は相手側コネクタの横方向の断面図である。
（ｃ）は図９のコネクタのロック状態での横方向の断面図である。
【図１３】（ａ）は図９のコネクタのロック解除状態での上下方向の断面図である。
（ｂ）は図９のコネクタのロック解除状態での横方向の断面図である。
【図１４】本発明の第３の実施の形態によるロック付きコネクタを示す斜視図である。
【図１５】図１４のロック付きコネクタの分解組立斜視図である。
【図１６】図１４のコネクタのロック状態での上下方向の断面図である。
【図１７】図１４のコネクタのロック解除状態での上下方向の断面図である。
【図１８】図１４のコネクタの利点の説明に供せられる断面図で、２個並べた状態を示している。
【図１９】本発明の第４の実施の形態によるロック付きコネクタを示す断面図であり、ロック状態を示している。
【図２０】図１９のロック付きコネクタのロック解除状態を示す断面図である。
【図２１】図１９のロック付きコネクタのロック補助バネと、ロック操作部とを示す分解組立斜視図である。
【図２２】図２１のロック補助バネと、ロック操作部との組み立て状態を示す斜視図である。
【図２３】本発明の第５の実施の形態によるロック付きコネクタを示す断面図であり、ロック状態を示している。
【図２４】図２３のロック付きコネクタのロック解除状態を示す断面図である。
【符号の説明】
１　　操作部材（フード）
１ａ　　第１のフード部
１ｂ　　第２のフード部
２　　ロック操作部
２ａ　　フード解除動作部
３　　ブーツ
５　　コネクタ本体
６　　コンタクト収容部
６ａ　　開口部
７　　ケーブル収容部
７ａ，７ｂ　　溝
８　　ロック片装着部
１０　　ロック付きコネクタ
１１　　ロック片
１１ａ　　先端部
１１ｂ　　ばね部
１１ｃ，１１ｆ　　溝装着部
１１ｄ　　突起部
１１ｅ　　ロック爪
１２　　コンタクト
１３　　第１のシェル部
１３ａ，１４ｂ　　窓部
１４　　第２のシェル部
１４ａ　　孔部
１５　　半田付け
１６　　シェル構造体
２０　　ロック付きコネクタ
２１　　第１のシェル部
２１ａ　　窓部
２２　　フード
２３　　ロック操作部
２４　　ブーツ
２５　　コネクタ本体
２６　　コンタクト収容部
２６ａ　　開口部
２６ｃ　　溝
２７　　コネクタ本体
２８ａ，２８ｂ　　シェル片
２８ｄ　　突出部
２８　　第２のシェル
３０　　ロック付きコネクタ
３１　　ロック片（ロック部）
３１ａ　　先端部
３１ｂ　　付勢突起
３１ｃ　　バネ部
３１ｅ　　ロック爪（係合部）
３１ｆ　　ロック動作片
３１ｇ　　突起部（ロック解除動作部）
３２　　フード
３２ｂ，３２ｂ　　挿入穴
３３　　ロック補助バネ
３３ａ　　支持片
３３ｂ，３３ｅ　　動作片
３３ｃ　　接続片
３３ｄ　　支持バネ
３５　　ロック操作部
３６　　ピン（軸）
３６ａ　　ピン（軸）
３６ｂ　　ピン（軸）
３７　　ロック補助バネ
３７ａ　　ピン収容部
３７ｂ　　バネ部
３７ｃ　　接続片
３７ｄ　　ロック支持バネ
３７ｅ　　フード解除動作部
３８　　ロック操作部
３９　　ロック操作部
４０　　ロック付きコネクタ
４１　　ロック片
４１ａ　　先端部
４１ｃ　　バネ部
４１ｂ　　動作片
４１ｄ　　突出部
４１ｅ　　ロック爪（係合部）
４１ｇ　　軸受け孔
４２　　ロック補助バネ
４２ａ　　ロック補助バネ片
５０　　ロック付きコネクタ
５１　　ロック片
５１ａ　　先端部
５１ｂ　　ばね部
５１ｄ　　突起部
５１ｅ　　ロック爪
５２　　フード本体
５３　　取っ手部
５３ａ　　ケーブル案内部
５３ｂ　　外周部
５３ｄ　　底部
５５　　板状ロック補助バネ
５５ａ　　ロック動作部
５５ｂ　　支持部
５５ｃ　　弾性部
５５ｅ　　孔
６０　　相手側コネクタ
６２　　コンタクト
６３　　開口
６４　　外殻シェル
６４ａ，６４ｂ　　ロック孔（係合部）
６５　　位置決め用突起
６６　　端子部
１００　　ケーブル
【図１】
2004014384.tif 000003
【図２】
2004014384.tif 000004
【図３】
2004014384.tif 000005
【図４】
2004014384.tif 000006
【図５】
2004014384.tif 000007
【図６】
2004014384.tif 000008
【図７】
2004014384.tif 000009
【図８】
2004014384.tif 000010
【図９】
2004014384.tif 000011
【図１０】
2004014384.tif 000012
【図１１】
2004014384.tif 000013
【図１２】
2004014384.tif 000014
【図１３】
2004014384.tif 000015
【図１４】
2004014384.tif 000016
【図１５】
2004014384.tif 000017
【図１６】
2004014384.tif 000018
【図１７】
2004014384.tif 000019
【図１８】
2004014384.tif 000020
【図１９】
2004014384.tif 000021
【図２０】
2004014384.tif 000022
【図２１】
2004014384.tif 000023
【図２２】
2004014384.tif 000024
【図２３】
2004014384.tif 000025
【図２４】
2004014384.tif 000026